(57)【要約】【課題】ツイストペア電線端末のコネクタ接続部で生じる伝送波形ノイズを緩和する緩和部材を提供する。【解決手段】車載用通信線の差動伝送線路を構成するツイストペア電線の端子または該端子と接続する相手方端子に装着する伝送波ノイズ緩和部材であって、前記ツイストペア電線の端末にそれぞれ接続された一対の端子の導体を接触させる導電材で形成した両側のリード部材と、前記両側のリード部材の間に介在させて連結するフィルタ素子とを備えている。【選択図】図２
2010113925.tif 000002
【特許請求の範囲】
【請求項１】
車載用通信線の差動伝送線路を構成するツイストペア電線の端子に装着する伝送波ノイズ緩和部材であって、
前記ツイストペア電線の端末にそれぞれ接続された一対のコネクタ接続端子の導体を接触させる導電材で形成した両側のリード部材と、
前記両側のリード部材の間に介在させて連結するフィルタ素子とを備えていることを特徴とする伝送波形ノイズ緩和部材。
【請求項２】
前記一対のコネクタ接続用端子はタブからなるオス端子とし、該タブを長尺として前記リード部材と接触させ、相手方コネクタ内のメス端子と嵌合接続する手前で前記タブを前記両端のリード部材と接触させてコネクタハウンジングで保持するものとし、かつ、前記リード部材は抵抗材とし、前記端子接触部で接触させた前記両側のオス端子を抵抗を介してフィルタ素子と導通させる請求項１に記載の伝送波形ノイズ緩和部材。
【請求項３】
車載用通信線の差動伝送線路を構成するツイストペア電線の端末コネクタと接続する基板実装コネクタの端子に装着する伝送波ノイズ緩和部材であって、
前記基板実装コネクタのハウジング内に、前記ツイストペア電線端末のコネクタ内に挿入係止されたメス端子とそれぞれ嵌合接続する一対のタブからなる前記端子を挿入係止しており、
前記基板実装ハウジング内の前記一対のタブと接触させる導電材で形成した両側のリード部材と、
前記両側のリード部材の間に介在させて連結するフィルタ素子とを備えていることを特徴とする伝送波形ノイズ緩和部材。
【請求項４】
前記リード部材は、前記フィルタ素子の両端に固着した導電性金属板からなり、該リード部材に夫々前記タブを通して電気接触させる端子孔または端子挟持片を設けている請求項２または請求項３に記載の伝送波形ノイズ緩和部材。
【請求項５】
前記リード部材は、導電性のゴム、表面を導電性金属材で被覆したゴムから形成し、該ゴムを前記フィルタ素子を一部に介在させたリング状とし、該リング内に前記一対の端子を通して弾性保持し、あるいは、
前記リード部材は、表面を導電性金属材で被覆した熱収縮樹脂から形成し、前記熱収縮樹脂をフィルタ素子を一部に介在させたリング状とし、該リング内に前記一対の端子を通した後に加熱収縮している請求項１または請求項２に記載の伝送波形ノイズ緩和部材。
【請求項６】
前記フィルタ素子は、コンデンサ、インダクタ、抵抗、サージ吸収素子のいずれか１つの電気部品からなる請求項１乃至請求項５のいずれか１項に記載の伝送波形ノイズ緩和部材。
【発明の詳細な説明】
【技術分野】
【０００１】
本発明は車載用通信のコネクタ接続部に取り付ける伝送波形ノイズ緩和部材に関し、特に、車載ＬＡＮ等の通信ネットワークを構成する通信線として用いるツイストペア電線のコネクタ接続部で生じる伝送波形の歪みを含む電磁波ノイズを緩和するものである。
【背景技術】
【０００２】
従来、車載ＬＡＮ等の通信ネットワークにおいて、通信線の分岐接続部に発生する伝送波形の歪みを緩和するために種々の技術が提供されている。
例えば、特開２００７−１１０１９５号公報では、図１０に示すように、通信線の分岐装置１００のハウジング内に、ジョイント部１０２ａと複数の端子部１０２ｂとを備えたジョイントバスバー１０２を収容し、各端子部１０２ｂに筒状のフェライト１０３を取り付けている。各端子部１０２ｂには通信線１０４の端末の端子１０５を接続して、複数の通信線１０４を分岐接続している。このように、フェライト１０３からなる磁性体を設けることにより分岐部に発生する伝送波形の歪みを緩和している。
【０００３】
通信線の伝送波形歪みを含む電磁波ノイズは、通信線の分岐位置で発生するだけでなく、通信線端末の端子をコネクタ内の端子と接続する箇所でも発生する。
前記通信線とコネクタとの接続部に発生する電磁波ノイズ対策として、特開２００１−１９６７１６号公報の従来例では、図１１に示すように、通信線１０４の端末に接続するコネクタ１０６と、プリント基板１０７のコネクタ１０８との嵌合部に差し込み式のフィルタ１０９を挟み込み、ノイズ対策やサージ対策を行っている。
【０００４】
【特許文献１】特開２００７−１１０１９５号公報
【特許文献２】特開２００１−１９６７１６号公報
【発明の開示】
【発明が解決しようとする課題】
【０００５】
前記特許文献２の図１１に示す互いに嵌合するコネクタ間に差し込み式に装着するフィルタ９は、コネクタ同士の嵌合時にコネクタの間に装着されているだけであり、互いに嵌合する端子に接触させることができるか否か不明であり、端子にフィルタ９を直接接触させていない場合には、電磁波ノイズの低減を有効に図ることはできない。
また、コネクタ同士の嵌合時にコネクタの間に差し込み装着しているため、コネクタ嵌合時に装着忘れが発生する恐れがある。例えば、自動車の通信線に用いる場合、自動車組み立て時に、電気部品を車両に搭載し、その後、通信線を結束したワイヤハーネスを電子部品と接続する場合には、コネクタ同士の嵌合時にフィルタの装着忘れが発生しやすい。
【０００６】
また、通信プロトコルをＣＡＮとする車載ＬＡＮを構成するＣＡＮ通信線は、通常、ＣＡＮ−Ｈ回路を構成する通信線とＣＡＮ−Ｌ回路を構成する通信線とからなる２つの通信線を撚り合わせたツイストペア電線で形成している。コネクタに接続する通信線は前記ツイストペア電線を複数組集束してワイヤハーネスを構成している。
このツイストペア電線の各端末に接続したコネクタ接続用端子間では、特に、伝送波形の歪みが発生しやすくなっている。よって、前記特許文献２に記載のように、コネクタ同士の嵌合部に差し込み式のフィルタ９を介在させただけでは、確実に伝送波形歪みを含む電磁波ノイズを緩和吸収することは出来ない問題がある。
【０００７】
本発明は前記問題に鑑みてなされたものであり、ＣＡＮ通信線を構成するツイストペア電線のコネクタ接続端子の間に、あるいは該ツイストペア電線の端子とコネクタ接続する相手側端子間で発生する伝送波形歪みを含む電磁波ノイズを効率よく吸収緩和できるようにすることを主たる課題としている。
さらに、該コネクタ接続端子を収容係止するコネクタ内に予め取り付けておくことが出来るようにすることを課題としている。
【課題を解決するための手段】
【０００８】
前記課題を解決するため、第１の発明は、車載用通信線の差動伝送線路を構成するツイストペア電線の端子に装着する伝送波ノイズ緩和部材であって、
前記ツイストペア電線の端末にそれぞれ接続された一対のコネクタ接続端子の導体を接触させる導電材で形成した両側のリード部材と、
前記両側のリード部材の間に介在させて連結するフィルタ素子とを備えていることを特徴とする伝送波形ノイズ緩和部材を提供している。
【０００９】
前記のように本発明では、ツイストペア電線の端末に接続したコネクタ接続端子の導体間に伝送波形ノイズ緩和部材を取り付け、ツイストペア電線の端子間に直接的に接続している。よって、特許文献２の図９に示すように嵌合するコネクタ間に介在させるフィルタよりも確実に端子に影響する電磁波ノイズを緩和でき、かつ、ツイストペア電線間に発生する伝送波形の歪みを低減することができる。
【００１０】
前記ツイストペア電線端末に接続したコネクタ接続用端子はタブからなるオス端子とし、該タブを長尺として前記リード部材と接触させ、相手方コネクタ内のメス端子と嵌合接続する手前で前記タブを前記両端のリード部材と接触させてコネクタハウンジングで保持するものとし、かつ、前記リード部材は抵抗材とし、前記端子接触部で接触させた前記両側のオス端子を抵抗を介してフィルタ素子と導通させている。
【００１１】
前記のように、第１の発明のノイズ緩和部材はツイストペア電線の各端末に接続したコネクタ接続用の端子は、相手方端子との接触部をタブ形状として、該タブの根元部分でリード部材と直接接触させて取り付けてコネクタハウジング内に収容している。即ち、特許文献２のコネクタ嵌合時に後付けではないため、コネクタを同時に嵌合するだけで、該コネクタ接続部に発生するノイズを緩和することができる。
かつ、ツイストペア電線の端子に夫々取り付ける前記リード部材の間にフィルタ素子を挟持した状態で取り付け、このフィルタ素子を挟む両側のリード部材を抵抗材としていることにより、フィルタ素子と抵抗との２つの電気部品でノイズを効果的に緩和することができる。
【００１２】
前記のように、ツイストペア電線端末に接続するコネクタ内の端子をオス端子のタブとしているため、該コネクタはメス端子を収容係止した相手方コネクタと接続している。該相手方コネクタは、例えば、電子制御ユニットと接続した通信線の端末のコネクタ等からなる。
【００１３】
また、第２の発明として、車載用通信線の差動伝送線路を構成するツイストペア電線の端末コネクタと接続する基板実装コネクタの端子に装着する伝送波ノイズ緩和部材であって、
前記基板実装コネクタのハウジング内に、前記ツイストペア電線端末のコネクタ内に挿入係止されたメス端子とそれぞれ嵌合接続する一対のタブからなる前記端子を挿入係止しており、
前記基板実装ハウジング内の前記一対のタブと接触させる導電材で形成した両側のリード部材と、
前記両側のリード部材の間に介在させて連結するフィルタ素子とを備えていることを特徴とする伝送波形ノイズ緩和部材を提供している。
【００１４】
前記第１の発明では、ツイストペア電線の端末に接続するコネクタ内で前記伝送波形ノイズ緩和部材を取り付けているが、第２の発明では、ツイストペア電線の端末コネクタと接続する電子制御ユニット等の基板実装コネクタ内に、前記伝送波形ノイズ緩和部材を取り付けている。該基板実装コネクタ内に装着する伝送波形ノイズ緩和部材は、タブの根元側で、相手方コネクタのメス端子との嵌合部から離れた位置に取り付けている。
このように、基板実装コネクタ側に伝送波形ノイズ緩和部材を取り付けても、電子制御ユニットに伝送される通信線のノイズを緩和することができる。
【００１５】
前記ツイストペア電線端末のコネクタに装着する場合、および基板実装コネクタ内に装着する場合のいずれの場合も、前記リード部材は、前記フィルタ素子の両端に固着した導電性金属板とし、該リード部材に夫々前記タブを通して電気接触させる端子孔または端子挟持片を設けている。
前記のようにフィルタ素子の両端に固着するリード部材に端子孔をあけておくと、一対のタブを端子孔に挿入するだけでノイズ緩和部材を取り付けることができる。該端子孔は挿入する端子の一部と接触させることができる形状であればよい。例えば、断面偏平な矩形状の端子に対して楕円形状とすると、端子の一部と必ず接触させることができる。また、両側のリード部材を夫々一対の導電性金属板で形成し、これら導電性金属板の間で端子を挟持してもよい。
【００１６】
また、ツイストペア電線端末のコネクタに装着する場合には、前記リード部材は、導電性のゴム、表面に導電性金属材を塗布またはメッキして被覆したゴムとし、該ゴムを前記フィルタ素子を一部に介在させたリング状とし、該リング内に前記両側のタブを通して弾性保持してもよい。
さらに、前記リード部材は、表面に導電性金属材を塗布またはメッキして被覆した熱収縮樹脂から形成し、前記熱収縮樹脂をフィルタ素子を一部に介在させたリング状とし、該リング内に前記両側のタブを通した後に加熱収縮してもよい。
いずれの場合も、ツイストペア電線端末の一対の端子をリングに通すだけでよく、端子への取付作業性を簡単とすることができる。
上記導電性ゴムおよび導電性熱収縮チューブは抵抗材として機能させることができる。
【００１７】
本発明の伝送波形ノイズ緩和部材の前記フィルタ素子は、コンデンサ、インダクタ、抵抗、サージ吸収素子のいずれか１つの電気部品からなり、通信線のツイストペア電線の端末でコネクタ接続部に発生する伝送波形ノイズの緩和に有効なものであればよい。
【００１８】
前記フィルタ素子は、具体的には、例えば、ケイ素鋼板、パーマロイ、アモルファス磁性体、材料抵抗が低いＭｎ−Ｚｎのフェライトから形成した矩形状の塊としたものや、積層セラミックコンデンサが好適に用いられる。
【発明の効果】
【００１９】
前記のように、本発明のツイストペア電線端末の端子間に取り付ける伝送波形ノイズ緩和部材は、ツイストペア電線端末に接続したコネクタ接続端子に間に直接的に接続するリード部材の間にフィルタ素子を介設している構成としているため、ツイストペア電線端末のコネクタ接続部に発生する伝送波形ノイズを有効に緩和することができる。
また、ツイストペア電線端末のコネクタと接続する基板実装コネクタ内の端子間に直接的に接続するリード部材の間にフィルタ素子を介設している構成としているため、ツイストペア電線端末と接続する基板実装コネクタとの嵌合部に発生する伝送波形ノイズを有効に緩和することができる。
かつ、該ノイズ緩和部材は、端子に取り付けてコネクタハウジング内に予め収容しているため、コネクタ同士の嵌合時に差し込み挿入する場合に発生する挿入忘れを未然に防ぐことができる。
【発明を実施するための最良の形態】
【００２０】
以下、本発明の実施形態を図面を参照して説明する。
図１乃至図４に第１実施形態を示す。
【００２１】
図１に示すように、伝送波形ノイズ緩和部材１（以下、緩和部材１と略称する）は、積層セラミックコンデンサのフィルタ素子２の両側に導電性接着剤４を介して固着した導電性金属板からなる一対のリード部材３（３−１、３−２）とからなる。
両側のリード部材３は細幅平板状の連結部３ａの先端側に円形の接触部３ｂを設け、該接触部３ａに楕円形状の端子孔３ｃを穿設した形状としている。
【００２２】
両側のリード部材３−１、３−２の端子孔３ｃには、通信プロトコルをＣＡＮとする車載ＬＡＮを構成するツイストペア電線Ｗ１、Ｗ２の端末に夫々圧着したオス端子１０、１１を貫通させている。図２に示すように、オス端子１０、１１の先端側の細幅平板状のタブ１０ａ、１１ａから挿入し、芯線バレル圧着部１０ｂ、１１ｂに接触させてリード部材３を位置決めしている。即ち、オス端子１０、１１のタブ１０ａ、１１ａの根元部に端子孔３ｃに通して、該端子孔３ｃの内周面と接触させている。タブ１０ａ、１１ａは比較的長寸とし、相手方コネクタ４０のメス端子４４、４５（図３、４に示す）と嵌合される部分の手前位置にリード部材３を位置させ、端子同士の嵌合に干渉しない位置に配置している。
【００２３】
両側のリード部材３に設ける楕円形状の端子孔３ｃは、楕円の大きさをタブ１０ａ、１１ａの４隅が接触できる大きさに予め設定している。このように、タブ１０ａ、１１ａの四隅に端子孔３ｃを接触させて接触面積を小さくすることにより、両側のリード部材３に抵抗が発生し、リード部材３は抵抗材を兼ねることとなる。
【００２４】
ツイストペア電線Ｗ１、Ｗ２の端末に圧着したオス端子１０、１１をリード部材３の端子孔３ｃに通して位置決め保持した状態で、オス端子１０、１１は図４に示すようにコネクタ３０に挿入係止している。
コネクタ３０は、そのハウジング３１内に設けた仕切壁３２で端子収容室３３を区切り、端子収容室３２の端子挿入側先端に隔壁３４を設けている。該隔壁３４にタブ貫通孔３４ａを設けている。コネクタ３０に挿入したオス端子１０、１１をタブ貫通孔３４ａを通して、オス端子１０、１１をハウジング３１の内面側に設けたランス（図示せず）で係止した状態で、タブ１０ａ、１１ａの根元側に取り付けたリード部材３を隔壁３４に当接させて位置決め保持している。かつ、ツイストペア電線Ｗ１、Ｗ２のオス端子１０、１１間に取り付けたリード部材３−１、３−２およびフィルタ素子２からなる緩和部材１は、仕切壁３２により区切られていない隔壁３４の手前に位置するため、ハウジング３１内に挿入することができる。
前記リード部材３がオス端子１０、１１の芯線バレル圧着部１０ｂ、１１ｂに接触して位置決めされているため、これら芯線バレル圧着部１０ｂ、１１ｂを乗り越えてハウジング３１から外方へ抜け出ることはない。
【００２５】
なお、図５に示すように、オス端子１０、１１をコネクタ３０に挿入係止し、緩和部材３をハウジング３１に収容した状態で、ハウジング３１の端子挿入面側に、電線貫通用の凹部３５ａを対向して設けた上下部３５ｂ、３５ｃを備えた蓋３５を取り付けてもよい。該蓋３５は上下部２５ｂ、３５ｃの一端側を薄肉ヒンジ部３５ｄで連結すると共に、両端にハウジング３１の両側外面に設けた係止溝（図示せず）に係止する係止爪３５ｅを設けている。
【００２６】
このように、ツイストペア電線Ｗ１、Ｗ２の端末のオス端子１０、１１を収容係止したコネクタ３０は、図３に示すように、相手型のコネクタ４０と嵌合している。該コネクタ４０は電子制御ユニットと接続した通信線の端末に接続され、該コネクタ４０内にメス端子４４、４５を挿入係止している。
【００２７】
コネクタ４０に対してコネクタ３０を嵌合した状態で、メス端子４４、４５はオス端子１０、１１と嵌合接続し、該嵌合位置は、コネクタ３０の隔壁３４に接する位置の手前としている。よって、オス端子１０、１１との間に取り付けている緩和部材１はメス端子４４、４５との嵌合に干渉しない。
【００２８】
前記のように、緩和部材１はツイストペア電線Ｗ１、Ｗ２の端末に接続するコネクタ３０内に予め収容して取り付けている。よって、コネクタ３０と相手方コネクタ４０とを嵌合した状態で発生する伝送波形歪みを含むノイズを効率よく緩和することができる。  
【００２９】
図６に、本発明の伝送波形ノイズ緩和部材１の第２実施形態を示す。
第２実施形態はフィルタ素子２の両側に固定する両側のリード部材３（３−１、３−２）の形状を変えている。
両側のリード部材３は一端をフィルタ素子２の側面に固定した一対のバネ板３ｄ、３ｅで形成している。これら一対のバネ板３ｄ、３ｅの先端側を開いて、オス端子１０、１１のタブ１０ａ、１１ａを押し込んで、バネ板３ｄ、３ｅでタブ１０ａ、１１ａを夫々押圧挟持している。
【００３０】
上記構成とすると、タブ１０ａ、１１ａの形状にかかわらず、リード部材３をタブ１０ａ、１１ａと確実に接触できると共に、一対のバネ板３ｄ、３ｅの先端から横入れで差し込むだけであるため、簡単に緩和部材１をツイストペア電線のオス端子間に取り付けることができる。
他の構成および作用は、第１実施形態と同様であるため、説明を省略する。
【００３１】
図７（Ａ）（Ｂ）に、本発明の伝送波形ノイズ緩和部材１の第３実施形態を示す。
第３実施形態は緩和部材１をリング状とし、かつ、ツイストペア電線Ｗ１、Ｗ２のオス端子１０、１１のタブ１０ａ、１１ａを通している。なお、第３実施形態ではツイストペア電線Ｗ１、Ｗ２の端末にメス端子を取り付けてもよい。
【００３２】
緩和部材１は、導電性粒子をＥＰＤＭ内に分散した導電性ゴム材をリード部材５０として用い、フィルタ素子２を介在させてリング状として成形している。
該導電性ゴムのリングからなるリード部材５０を押し広げて、ツイストペア電線Ｗ１、Ｗ２の端末のオス端子のタブ１０ａ、１１ａを通すと、挿通後にリード部材５０は収縮して、タブ１０ａ、１１ａを弾性保持する。
【００３３】
このように、第３実施形態では、導電性ゴムでリングを形成してリード部材５０としているため、リング内にタブ１０ａ、１１ａを通すだけでよい。よって、前記のようにオス端子のタブではなく、メス端子としてもリングを広げると通すことができ、ツイストペア電線端末に接続する端子はオス端子でもメス端子でもいずれでも良い。
【００３４】
さらに、リード部材５０は導電性ゴムではなく、非導電性のゴム材５３の表面に導電性塗料５４を塗布し、または、金属をメッキして導電性を持たせてもよい。その場合、図７（Ｃ）に示すように、リード部材６０の全面に導電性塗料等を塗布する必要はなく、フィルタ素子２と連結する部分からオス端子のタブ１０ａ、１１ａと接触する領域に導電性塗料５４を塗布すればよい。
【００３５】
図８に、本発明の伝送波形ノイズ緩和部材１の第４実施形態を示す。
第４実施形態では、リング状とするリード部材６０を熱収縮樹脂で成形している。
フィルタ素子２を介在させて熱収縮樹脂６１をリング状に成形している。該フィルタ素子２に連続する部分および、該フィルタ素子２と対向する位置を除く外周面に導電性金属材６２を表面に塗布している。
【００３６】
前記リード部材６０のリングは、第３実施形態のリード部材５０のリングよりも大きく成形しており、ツイストペア電線の端末に接続したオス端子のタブ１０ａ、１１ａを通した後に、加熱して収縮させ、タブ１０ａ、１１ａに密着させている。
他の構成及び作用は第１実施形態と同様であるため、説明を省略する。
なお、本第４実施形態の場合も、リード部材６０の大きなリングに通すだけであるため、ツイストペア電線端末にメス端子を接続してもよい。
【００３７】
図９に、第５実施形態を示す。
第５実施形態では、電子制御ユニット８０内のプリント基板８１に実装した基板実装コネクタ８２内に伝送波形ノイズ緩和部材１を装着し、該基板実装コネクタ８２をツイストペア電線端末のコネクタ９０と接続している。該ツイストペア電線端末のコネクタ９０は各ツイストペア電線の端末に接続したメス端子９１を挿入係止しており、コネクタ９０内には伝送波形ノイズ緩和部材１を装着していない。
【００３８】
前記基板実装コネクタ８２のハウジング８３内には、プリント基板８１の導体と接続した一対のＬ形状の端子材８４の上側水平部を挿入し、該上側水平部をタブ８４ａとして、ハウジング８３内に挿入係止している。前記ツイストペア電線端末のコネクタ９０を基板実装コネクタ８２と嵌合すると、メス端子９１とタブ８４ａとが嵌合接続される。
【００３９】
前記ハウジング８３内に、第１実施形態の図１に示す伝送波形ノイズの緩和部材１を相手方コネクタ嵌合用の開口８３ａから挿入し、フィルタ素子２の両側のリード部材３の端子孔３ｃにタブ８４ａの突出側から通して、タブ８４ａをリード部材３と接触している。
前記緩和部材１はハウジング８３の底壁８３ｂに接する位置に配置した後に、ハウジング８３に設けた挿入口８３ｃから保持板８５を挿入して、緩和部材１を位置決め保持している。タブ８４ａは先端側は保持板８５より突出し、該先端側をメス端子９１と嵌合する部分としている。
【００４０】
ツイストペア電線端末のコネクタ９０を基板実装コネクタ８２に嵌合し、コネクタ９０内のメス端子９１をタブ８４ａと接続すると、該接続部分で伝送波形ひずみが生じるが、タブ８４ａを緩和部材１と接触させていることにより、該伝送波形ひずみの発生を緩和することができる。
【図面の簡単な説明】
【００４１】
【図１】第１実施形態の伝送波形ノイズ緩和部材の斜視図である。
【図２】前記伝送波形ノイズ緩和部材をツイストペア電線の端子に装着した状態を示す斜視図である。
【図３】ツイストペア電線端末に接続するコネクタと、該コネクタと接続する相手方コネクタを示す斜視図である。
【図４】前記コネクタの断面図である。
【図５】（Ａ）は前記コネクタに取り付ける蓋の斜視図、（Ｂ）はコネクタへの取付状態を示す端子挿入側の側面図である。
【図６】第２実施形態を示す平面図である。
【図７】第３実施形態を示し、（Ａ）は伝送波形ノイズ緩和部材の平面図、（Ｂ）（Ｃ）は端子を通した状態の平面図である。
【図８】第４実施形態を示す平面図である。
【図９】第５実施形態を示す図面である。
【図１０】従来例を示す図面である。
【図１１】他の従来例を示す図面である。
【符号の説明】
【００４２】
１  伝送波形ノイズ緩和部材
２  フィルタ素子
３（３−１、３−２）、５０、６０  リード部材
３ｃ  端子孔
１０、１１  オス端子
１０ａ、１１ａ  タブ
３０、４０  コネクタ
Ｗ１、Ｗ２  ツイストペア電線
【図１】
2010113925.tif 000003
【図２】
2010113925.tif 000004
【図３】
2010113925.tif 000005
【図４】
2010113925.tif 000006
【図５】
2010113925.tif 000007
【図６】
2010113925.tif 000008
【図７】
2010113925.tif 000009
【図８】
2010113925.tif 000010
【図９】
2010113925.tif 000011
【図１０】
2010113925.tif 000012
【図１１】
2010113925.tif 000013